(57)【要約】【課題】気体中に含まれるダストの放射能濃度を高い精度で算出可能なダスト放射線モニタ装置及び放射線モニタ方法を提供することである。【解決手段】実施形態のダスト放射線モニタ装置１０は、吸引ポンプ１２と、吸引された気体が通るサンプリングライン１３と、吸引された気体を排気する排気ライン９と、サンプリングライン１３上の第１の集塵部１４と、集塵部１４内の放射線の計数率を測定する検出部１７と、検出部１７からの信号を処理する制御部２９と、集塵部１４の上流でサンプリングライン１３に合流するパージライン１８と、サンプリングライン１３から集塵部１４への流れと、パージライン１８からサンプリングライン１３への流れを切り替える集塵部流入制御機構と、集塵部流入制御機構と集塵部１４を迂回するバイパスライン２１と、バイパスライン２１を遮断可能なバイパスライン制御機構と、バイパスライン２１上の第２の集塵部８とを備える。【選択図】図１
2014145644.tif 000002
【特許請求の範囲】
【請求項１】
ダストを含む測定対象ガス及び前記測定対象ガスよりも放射能濃度が低いパージガスを吸引する吸引ポンプと、
前記吸引ポンプで吸引された前記測定対象ガス及び前記パージガスが通るサンプリングラインと、
前記吸引ポンプを通過した気体を排気部まで導く排気ラインと、
前記サンプリングラインに設けられ前記サンプリングラインを通る前記測定対象ガス中のダストを捕集する第１の集塵部と、
前記集塵部内の放射線の計数率を測定する検出部と、
前記検出部からの信号を受け取り演算処理する制御部と、
前記集塵部よりも上流の第１の合流点で前記サンプリングラインに合流し、前記パージガスを前記サンプリングラインに流入させるパージラインと、
前記集塵部よりも上流の前記サンプリングライン及び前記パージラインに設けられ、前記第１の合流点より上流の前記サンプリングラインから前記第１の合流点より下流の前記サンプリングラインへの気体の流れと、前記パージラインから前記第１の合流点より下流の前記サンプリングラインへの気体の流れとを切り替えることが可能な集塵部流入制御機構と、
前記集塵部流入制御機構よりも上流の前記サンプリングラインから分岐し、前記集塵部よりも下流の第２の合流点で前記サンプリングラインに合流するバイパスラインと、
前記バイパスラインまたは前記第２の合流点に設けられ、前記バイパスラインから前記サンプリングラインへの気体の流れを遮断することが可能なバイパスライン制御機構と、
前記バイパスラインに設けられ前記バイパスラインを通る前記測定対象ガス中のダストを捕集する第２の集塵部と、を備えるダスト放射線モニタ装置。
【請求項２】
前記集塵部流入制御機構は、
前記第１の合流点よりも上流の前記サンプリングラインに設けられた第１の弁と、
前記パージラインに設けられた第２の弁と、
を備える請求項１に記載のダスト放射線モニタ装置。
【請求項３】
前記集塵部流入制御機構は、
前記第１の合流点に設けられた第１の三方弁を備える請求項１に記載の放射線モニタ装置。
【請求項４】
前記バイパスライン制御機構は、前記バイパスライン上に設けられた第３の弁を備える請求項１乃至請求項３に記載の放射線モニタ装置。
【請求項５】
前記バイパスライン制御機構は、第２の合流点に設けられた第２の三方弁を備える請求項１乃至請求項３に記載の放射線モニタ装置。
【請求項６】
ダストを含む測定対象ガスを吸引し、集塵部に捕集された前記ダストの放射線の計数率を検出部で測定し、測定値をもとに前記測定対象ガス中に含まれるダストの放射能濃度を算出するダスト放射線モニタ方法であって、
前記集塵部に放射能濃度が前記測定対象ガスよりも低いパージガスのみを流し、前記集塵部内を前記パージガスで置換するパージガス置換ステップと、
前記検出部でパージガスの放射線の計数率を測定するパージガス測定ステップと、
前記集塵部に前記測定対象ガスを流し前記集塵部内にダストを捕集するダスト捕集ステップと、
前記パージガスで置換された前記集塵部内に捕集された前記ダストの放射線の計数率を前記検出部で測定するダスト測定ステップと、
前記ダスト測定ステップで測定された放射線の計数率から前記パージガス測定ステップで測定された放射線の計数率を減じ、前記ダストのみの放射線の計数率を算出する演算ステップと、
を備えるダスト放射線モニタ方法。 
【発明の詳細な説明】
【技術分野】
【０００１】
本発明の実施形態は、ダスト放射線モニタ装置及びダスト放射線モニタ方法に関する。
【背景技術】
【０００２】
原子力発電所内の空間中に存在する放射化されたダストの放射能濃度を監視するため、原子力発電所にはダスト放射線モニタ装置が設けられている。ダスト放射線モニタ装置は測定対象の気体中のダストを捕集し、その放射線の計数率を計測することで測定対象の気体中の放射性のダストの放射能濃度を算出する。
【０００３】
測定対象の気体中にはダストの他、気体状放射性物質が含まれている。捕集されたダストの放射線の計数率は、測定対象ガス雰囲気中で測定される。そして、測定対象ガスのダスト以外の放射線の計数率を計測し、測定対象ガス雰囲気中で測定されたダストの放射線の計数率から減じ、ダストのみの放射線の計数率を測定する。
【０００４】
ここで、捕集されたダストの放射線の計数率が測定される際に、ダストの周囲を満たす気体に起因する放射線の計数率を、バックグラウンド（ＢＧ）計数率と呼称する。また、ＢＧ計数率を測定することをＢＧ測定と呼称する。
【０００５】
ＢＧ計数率は、ダストの検出限界濃度を決定する要因の一つである。検出限界濃度とは、ダスト放射線モニタ装置１０が算出可能なダストの最低放射能濃度のことである。ＢＧ計数率が小さいほど、ダストの検出限界濃度は小さくなり、高い精度でダストの放射能濃度を算出することが可能である。
【先行技術文献】
【特許文献】
【０００６】
【特許文献１】特開平７−９２２７１号公報
【発明の概要】
【発明が解決しようとする課題】
【０００７】
本発明は、気体中に含まれるダストの放射能濃度を高い精度で算出可能なダスト放射線モニタ装置及びダスト放射線モニタ方法を提供することを目的とする。
【課題を解決するための手段】
【０００８】
上記の目的を達成するため、実施形態のダスト放射線モニタ装置は、ダストを含む測定対象ガス及び測定対象ガスよりも放射能濃度が低いパージガスを吸引する吸引ポンプと、吸引ポンプで吸引された測定対象ガス及びパージガスが通るサンプリングラインと、吸引ポンプを通過した気体を排気部まで導く排気ラインと、サンプリングラインに設けられサンプリングラインを通る測定対象ガス中のダストを捕集する第１の集塵部と、集塵部内の放射線の計数率を測定する検出部と、検出部からの信号を受け取り演算処理する制御部と、集塵部よりも上流の第１の合流点でサンプリングラインに合流し、パージガスをサンプリングラインに流入させるパージラインと、集塵部よりも上流のサンプリングライン及びパージラインに設けられ、第１の合流点より上流のサンプリングラインから第１の合流点より下流のサンプリングラインへの気体の流れと、パージラインから第１の合流点より下流のサンプリングラインへの気体の流れとを切り替えることが可能な集塵部流入制御機構と、集塵部流入制御機構よりも上流のサンプリングラインから分岐し、集塵部よりも下流の第２の合流点でサンプリングラインに合流するバイパスラインと、バイパスラインまたは第２の合流点に設けられ、バイパスラインからサンプリングラインへの気体の流れを遮断することが可能なバイパスライン制御機構と、バイパスラインに設けられバイパスラインを通る測定対象ガス中のダストを捕集する第２の集塵部と、を備えるものとする。
【０００９】
また、上記の目的を達成するため、実施形態のダスト放射線モニタ方法は、ダストを含む測定対象ガスを吸引し、集塵部に捕集されたダストの放射線の計数率を検出部で測定し、測定値をもとに測定対象ガス中に含まれるダストの放射能濃度を算出するダスト放射線モニタ方法であって、集塵部に放射能濃度が測定対象ガスよりも低いパージガスのみを流し、集塵部内をパージガスで置換するパージガス置換ステップと、検出部でパージガスの放射線の計数率を測定するパージガス測定ステップと、集塵部に測定対象ガスを流し集塵部内にダストを捕集するダスト捕集ステップと、パージガスで置換された集塵部内に捕集されたダストの放射線の計数率を検出部で測定するダスト測定ステップと、ダスト測定ステップで測定された放射線の計数率からパージガス測定ステップで測定された放射線の計数率を減じ、ダストのみの放射線の計数率を算出する演算ステップと、を備えるものとする。
【図面の簡単な説明】
【００１０】
【図１】第１の実施形態におけるダスト放射線モニタ装置のブロック図。
【図２】第１の実施形態におけるダスト放射線モニタ装置の動作フローチャート。
【図３】第２の実施形態におけるダスト放射線モニタ装置変のブロック図。
【発明を実施するための形態】
【００１１】
以下本発明の実施形態について図面を参照しながら説明する。
【００１２】
（第１の実施形態）
本実施形態について、図１と図２を用いて説明する。図１は、第１の実施形態におけるダスト放射線モニタ装置のブロック図である。図２は第１の実施形態におけるダスト放射線モニタ装置の動作フローチャートである。
【００１３】
（構成）
以下、本実施形態の構成について説明する。原子力発電所内の気体には、放射性希ガスなどの気体状放射性物質や放射化されたダスト１１が含まれている。ダスト放射線モニタ装置１０は、測定対象の気体中に含有されるダスト１１の放射能濃度を算出するための装置である。測定対象の気体を測定対象ガスと呼称する。測定対象ガスにはダスト１１が含有されている。また、測定の際には測定対象ガスよりも放射能濃度が低いガスを用いるが、このガスをパージガスと呼称する。パージガスは放射能濃度ができるだけ低く、含有されるダストができるだけ少ないほうが良い。
【００１４】
ダスト放射線モニタ装置１０は、測定対象ガス及びパージガスを吸引する吸引ポンプ１２と、吸引ポンプ１２に接続し、吸引ポンプ１２に吸引された気体が通るサンプリングライン１３と、吸引ポンプ１２を通過した気体を排出部まで導く排気ライン９を備える。サンプリングライン１３の途中には、サンプリングライン１３を通る測定対象ガス中のダスト１１を捕集する第１の集塵部１４が設けられている。
【００１５】
サンプリングライン１３の吸引ポンプ１２に接続していない方の一端は測定対象ガス吸引口７であり、原子力発電所内等、測定対象ガス中に開口している。排気ライン９を通った気体が排出される排出部６は、測定対象ガスを採取する空間と同じ空間にあっても良いし、別の空間であっても良い。
【００１６】
第１の集塵部１４の近傍には、第１の集塵部１４内の放射線の計数率を測定する検出部１７が設けられている。検出部１７は、ろ紙１５のダスト１１が捕集される部分とその近傍の気体の放射線の計数率を測定することができる。
【００１７】
また、検出部１７は制御部２９に接続されている。接続は有線であって無線であっても良い。検出部１７で測定された放射線の計数率の信号は制御部２９に送信される。制御部２９は検出部１７からの信号を受け取り、演算処理し、ダスト１１の放射能濃度を算出する。
【００１８】
第１の集塵部１４よりも上流のサンプリングライン１３には、パージガスを第１の集塵部１４に流入させるパージライン１８が合流している。サンプリングライン１３とパージライン１８の合流点を第１の合流点２５と呼称する。パージライン１８には逆止弁２４が設けられている。逆止弁２４はパージライン１８に測定対象ガスが流入することを防ぐ。
【００１９】
第１の合流点２５には、測定対象ガス及びパージガスのうちいずれか一方のみを第１の集塵部１４に流入させることが可能な集塵部流入制御機構である、第１の三方弁１９が設けられている。第１の三方弁１９は第１の流入口２０ａと第２の流入口２０ｂと第１の流出口２０ｃを備えている。
【００２０】
第１の流入口２０ａには第１の三方弁１９よりも上流のサンプリングライン１３が接続しており、第２の流入口２０ｂにはパージライン１８が接続している。第１の流出口２０ｃには第１の三方弁１９よりも下流のサンプリングライン１３が接続している。
【００２１】
また、第１の三方弁１９よりも上流のサンプリングライン１３からはバイパスライン２１が分岐している。サンプリングライン１３からバイパスライン２１が分岐している部分を分岐点２７と呼称する。バイパスライン２１は第１の集塵部１４を迂回し、第１の集塵部１４よりも下流のサンプリングライン１３に合流する。バイパスライン２１がサンプリングライン１３に合流する部分を、第２の合流点２６と呼称する。
【００２２】
第２の合流点２６には、バイパスライン２１からサンプリングライン１３への気体の流入を制御するバイパスライン制御機構である第２の三方弁２２が設けられている。第２の三方弁２２は第３の流入口２３ａと第４の流入口２３ｂと第２の流出口２３ｃを備えている。第３の流入口２３ａには第１の集塵部１４からのサンプリングライン１３が接続しており、第４の流入口２３ｂにはバイパスライン２１が接続している。
【００２３】
また、第１の三方弁１９及び第２の三方弁２２は、有線または無線で制御部２９に接続されており、制御部２９が２つの三方弁の開閉動作を制御するものとする。しかし、第１の三方弁１９及び第２の三方弁２２の開閉動作の制御は手動で行うものとしてもよい。
【００２４】
バイパスライン２１には測定対象ガスが流れる。バイパスライン２１の途中には、第２の集塵部８が設けられている。第２の集塵部８は、バイパスライン２１を流れる測定対象ガス中のダスト１１を捕集する。
【００２５】
ここで、第１の集塵部１４の構成について説明する。第１の集塵部１４はダスト１１を捕集するためのろ紙１５を備えている。ろ紙１５は、予め第１のローラ１６ａに巻かれており、この第１のローラから巻き出されて第２のローラに巻き取られる。第１のローラ１６ａと第２のローラ１６ｂの間のろ紙１５は、第１の集塵部１４内を流れる測定対象ガスに直交し、この部分にダスト１１が補集される。
【００２６】
また、第１の集塵部１４、ろ紙１５及び検出部１７は、図示されていない例えば一つの箱で囲われている。箱で覆われた第１の集塵部１４、ろ紙１５及び検出部１７を集塵ユニットと呼称する。箱は放射線を遮る遮蔽材でできており、集塵ユニット内から放射性物質や放射線が外部に漏れ出ることを防止する。また、箱は集塵ユニット内に外部から放射性物質や放射線が侵入してくることを防止する。
【００２７】
次に、第１の集塵部１４と検出部１７の関係について説明する。検出部１７が放射線の計数率を測定する際には、外部環境の影響を低減させるため、検出部１７をろ紙１５を介して第１の集塵部１４に密着させ、ろ紙１５の測定される部分とその近傍を外部環境から隔離する。ろ紙１５の測定される部分とその近傍が外部環境から隔離された状態のことを第１の集塵部１４が閉である、と言うこととする。
【００２８】
一方、ろ紙１５の測定される部分とその近傍が外部環境から隔離されていない状態を、第１の集塵部１４が開である、と言うこととする。例えば、ろ紙１５の測定される部分を変える際には第１の集塵部１４を開にする必要がある。
【００２９】
（作用）
以下、本実施形態の作用について説明する。ダスト放射線モニタ装置１０はダスト１１の放射線の計数率の測定を、ダスト１１の周囲がパージガスで置換された状態で行う。
【００３０】
以下、ダスト放射線モニタ装置１０の動作について図２を用いて説明する。ダスト放射線モニタ装置１０は吸引ポンプ１２を起動し、測定を開始する。
【００３１】
まず、第１のパージガス置換ステップ３２ａを行う。第１のパージガス置換ステップ３２ａでは、第１の集塵部１４を開の状態とする。第１の三方弁１９は、第２の流入口２０ｂから第１の流出口２０ｃの流れを開放し、第１の流入口２０ａから第１の流出口２０ｃの流れは閉鎖する。第２の三方弁２２は、第３の流入口２３ａから第２の流出口２３ｃの流れを開放し、第４の流入口２３ｂから第２の流入口２３ｃの流れを閉鎖する。すると、吸引ポンプ１２によって、パージガスはパージライン１８から第１の集塵部１４に流入する。この状態をパージガスが第１の集塵部１４を置換するのに十分な時間維持する。
【００３２】
次に、ＢＧ測定ステップ３０を行う。ＢＧ測定ステップ３０では、第２の三方弁２２について、第３の流入口２３ａから第２の流出口２３ｃの流れを閉鎖し、第４の流入口２３ｂから第２の流入口２３ｃの流れを開放する。すると、吸引ポンプ１２によって、測定対象ガスは測定対象ガス吸引口７からサンプリングラインに入り、バイパスライン２１に流れる。その際、測定対象ガス中のダスト１１は第２の集塵部８に捕集される。
【００３３】
また、第１の集塵部１４では、第１のローラ１６ａと第２のローラ１６ｂを回転させてろ紙１５を巻取り、第１の集塵部１４を閉の状態とする。そして検出部１７で、ろ紙１５と近傍の放射線の計数率を測定し、パージガスの放射線の計数率を測定する。測定値は制御部２９に送信される。そして、測定値は制御部２９でＢＧ計数率として受信される。
【００３４】
なお、放射線の計数率測定の直前にろ紙１５を巻取るのは、ろ紙１５上に残っている放射性物質を取り除き、パージガスのみの放射線の計数率を測定するためである。
【００３５】
また、バイパスライン２１と第２の集塵部８は、ダスト１１の放射線の計数率を連続的に把握するために設けられている。測定対象ガスを第１の集塵部１４に流していない間、測定対象ガスをバイパスライン２１に流し、第２の集塵部８にダスト１１を捕集することができる。そして、第２の集塵部８の放射線の計数率を定期的に測定することで、第１の集塵部１４で捕集されていない間のダスト１１の放射線の計数率も把握することができる。よって、連続的にダスト１１の放射線の計数率を把握することが可能となる。
【００３６】
次に、集塵ステップ３１について説明する。集塵ステップ３１では、第１の集塵部１４は閉のままとする。第１の三方弁１９は、第１の流入口２０ａから第１の流出口２０ｃの流れを開放し、第２の流入口２０ｂから第１の流入口２０ｃの流れは閉鎖する。第２の三方弁２２は第３の流入口２３ａから第２の流出口２３ｃの流れを開放し、第４の流入口２３ｂから第２の流出口２３ｃの流れを閉鎖する。すると、吸引ポンプ１２によって、測定対象ガスはサンプリングライン１３を流れ、ダスト１１は第１の集塵部１４に捕集される。この状態を、十分な量のダスト１１が第１の集塵部１４に捕集されるまで維持する。
【００３７】
次に、第２のパージガス置換ステップ３２ｂを行う。第２のパージガス置換ステップ３２ｂの手順は第１のパージガス置換ステップ３２ａと同様である。第１の集塵部１４内は、パージガスで置換され、ろ紙１５上に捕集されたダスト１１の周囲はパージガスで置換される。
【００３８】
次に、ダスト測定ステップ３３について説明する。ダスト測定ステップ３３では、ろ紙１５上に捕集されたダスト１１とその近傍の空間の放射線の計数率を検出部１７で測定する。測定値は制御部２９に送信される。
【００３９】
次に、演算ステップ３４について説明する。演算ステップ３４において、制御部２９はダスト測定ステップ３３で受信した測定値からＢＧ計数率を減ずる。そして、制御部２９はダスト１１のみの放射線の計数率を算出し、それを基にダスト１１の放射能濃度を算出する。
【００４０】
なお、ダスト測定ステップ３３で受信した測定値は、パージガスと捕集されたダスト１１の放射線の計数率である。その値から、パージガスの放射線の計数率であるＢＧ計数率を減ずることで、ダスト１１のみの放射線の計数率を排除することができる。演算ステップ３４の後は、再び第１のパージガス置換ステップ３２ａを行いダスト１１の放射能濃度を測定するか、または測定を終了する。
【００４１】
（効果）
本実施形態のダスト放射線モニタ装置１０は、捕集されたダスト１１の放射線の計数率測定を、放射能濃度が低いパージガス雰囲気中で行う。そのため、ＢＧ計数率は低く、検出限界濃度が低いため、高い精度で測定対象ガス中のダスト１１の放射能濃度を算出することができる。
【００４２】
また、気体状放射性物質の放射能濃度や濃度分布が一定でない測定対象ガス中でダスト測定ステップを行った場合、ＢＧ測定ステップとダスト測定中でのＢＧ計数率に差が生じる可能性がある。すると、ダスト１１の放射性濃度の算出結果に誤差が生じる。本実施形態のダスト放射線モニタ装置１０では、測定対象ガス中の気体状放射性物質の放射能濃度や濃度分布が一定でない場合であっても、ＢＧ計数率を低く一定にすることができる。そのため、測定対象ガス中の気体状放射性物質の放射能濃度に関わらず、高い精度で測定対象ガス中のダスト１１の放射能濃度を算出することができる。
【００４３】
（第２の実施形態）
第２の実施形態のダスト放射線モニタ装置について図３を用いて説明する。図３は第２の実施形態におけるダスト放射線モニタ装置のブロック図である。なお、第１の実施形態と同一の構成には同一の符号を付し、重複する説明は省略する。
【００４４】
（構成）
以下、本実施形態の構成を説明する。本実施形態のダスト放射線モニタ装置１０は、第１の三方弁１９に換えて、集塵部流入制御機構として、測定対象ガスの第１の集塵部１４への流入を制御する第１の弁３５と、パージガスの第１の集塵部１４及び集塵ユニットへの流入を制御する第２の弁３６を備える。第１の弁３５は、分岐点２７と第１の合流点２５の間のサンプリングライン２１に設けられている。第１の弁３５は、第１の合流点２５よりも上流に設けられる。第２の弁２６はパージライン１８に設けられている。
【００４５】
また、第２の三方弁２２に換えて、第３の弁がバイパスライン２１上に設けられている。
【００４６】
（作用）
以下、本実施形態の作用を説明する。ダスト放射線モニタ装置１０の動作は、第１の実施形態と同様のステップを経て行われる。
【００４７】
まず、第１のパージガス置換ステップ３２ａを行う。第１の集塵部１４を開の状態し、第２の弁３６と第３の弁３８を開き、第１の弁３５を閉じる。すると、パージガスは吸引ポンプ１２に吸引され、パージライン１８から第１の集塵部１４に流入する。一方、測定対象ガスは、吸引ポンプ１２に吸引され、測定対象ガス吸引口７からサンプリングライン入り、バイパスライン２１を流れる。その際、測定対象ガス中のダスト１１は第２の集塵部８に捕集される。この状態をパージガスが第１の集塵部１４を置換するのに十分な時間維持する。
【００４８】
次に、ＢＧ測定ステップ３０を行う。ＢＧ測定ステップ３０では、第１のローラ１６ａと第２のローラ１６ｂを回転し、ろ紙１５を巻取り、第１の集塵部１４を閉の状態とする。その後、検出器１７でろ紙１５近傍の放射線の計数率を測定し、ＢＧ計数率を算出する。測定値はＢＧ計数率として制御部２９に送信される。
【００４９】
次に、集塵ステップ３１を行う。第１の集塵部１４を閉のままとして、第１の弁３５を開き、第２の弁３６と第３の弁３８を閉じる。すると、吸引ポンプ１２によって、測定対象ガスはサンプリングライン１３を流れ、ダスト１１は第１の集塵部１４に捕集される。この状態を、十分な量のダスト１１が捕集されるまで維持する。
【００５０】
次に、第２のパージガス置換ステップ３２ｂを行う。第２のパージガス置換ステップ３２ｂは第１のパージガス置換ステップ３２ａと同様である。第１の集塵部１４内は、パージガスで置換され、ろ紙１５上に捕集されたダスト１１の周囲はパージガスで置換される。
【００５１】
次に、ダスト測定ステップ３３と演算ステップ３４を行う。ダスト測定ステップ３３と演算ステップ３４は第１の実施形態と同様である。
【００５２】
（効果）
本実施形態のダスト放射線モニタ装置１０は、捕集されたダスト１１の放射線の計数率測定を、放射能濃度が低いパージガス雰囲気中で行う。そのため、ＢＧ計数率は低く、検出限界濃度が低ため、高い精度で測定対象ガス中のダスト１１の放射能濃度を算出することができる。
【００５３】
また、本実施形態のダスト放射線モニタ装置１０では、測定対象ガス中の気体状放射性物質の放射能濃度や濃度分布が一定でない場合であっても、ＢＧ計数率を低く一定にすることができる。そのため、測定対象ガス中の気体状放射性物質の放射能濃度に関わらず、高い精度で測定対象ガス中のダスト１１の放射能濃度を算出することができる。
【００５４】
また、本実施形態では、パージガスを第１の集塵部１４に流している間、バイバスライン２１に測定対象ガスを流すことが可能である。そのため、ダスト１１を常に第１の集塵部１４または第２の集塵部８のいずれかに集塵することができる。よって、ダスト１１の連続集塵が可能であり、ダスト１１の放射性濃度を連続して把握することが可能である。
【００５５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
例えば、パージラインは窒素ガスボンベ等の、放射能濃度が極めて低く一定であるガスに接続されていても良い。その場合、ボンベの交換回数を低減させるため、流量計等でガスの供給量を調節するものとしても良い。
【００５７】
また、測定対象ガスの吸引量を記録するため、流量計をサンプリングラインに設けるものとしてもよい。
【００５８】
また、パージラインに高圧の気体が封入された窒素ガスボンベ等を接続する場合、第１の実施形態の第１及び第２のパージガス置換ステップ３２ａ、３２ｂでは、第１の集塵部１４をパージガスで置換すると共に、測定対象ガスをバイパスライン２１に流すことができる。以下、その際の作用について説明する。
【００５９】
第１の集塵部１４を開の状態とし、第１の三方弁１９は、第２の流入口２０ｂから第１の流出口２０ｃの流れを開放し、第１の流入口２０ａから第１の流出口２０ｃの流れは閉鎖する。第２の三方弁２２は、第３の流入口２３ａから第２の流出口２３ｃの流れを閉鎖し、第４の流入口２３ｂから第２の流入口２３ｃの流れを開放する。すると、第１の集塵部１４は開でありパージガスは高圧であるため、吸引ポンプ１２で吸引されなくても、パージガスは第１の集塵部１４に流入する。一方、測定対象ガスは吸引ポンプ１２に吸引されてバイパスラインを流れ、ダスト１１は第２の集塵部に捕集される。そのため、第１の集塵部１４をパージガスで置換すると共に、測定対象ガスをバイパスライン２１に流すことができ、ダスト１１の放射性濃度を連続して把握することが可能である。
【００６０】
また、パージガスの圧力が測定対象ガスの圧力が等しい場合、または、パージガスの圧力が測定対象ガスの圧力よりも小さい場合がある。このとき、パージラインに吸引ポンプ１２と同様なポンプを設けることで、第１の集塵部１４をパージガスで置換すると共に、測定対象ガスをバイパスライン２１に流すことが可能となる。 
【符号の説明】
【００６１】
６・・・・・排出部
７・・・・・測定対象ガス吸引口
８・・・・・第２の集塵部
９・・・・・排気ライン
１０・・・・・ダスト放射線モニタ装置
１１・・・・・ダスト
１２・・・・・吸引ポンプ
１３・・・・・サンプリングライン
１４・・・・・第１の集塵部
１５・・・・・ろ紙
１６ａ・・・・第１のローラ
１６ｂ・・・・第２のローラ
１７・・・・・検出部
１８・・・・・パージライン
１９・・・・・第１の三方弁
２０ａ・・・・第１の流入口
２０ｂ・・・・第２の流入口
２０ｃ・・・・第１の流出口
２１・・・・・バイパスライン
２２・・・・・第２の三方弁
２３ａ・・・・・第３の流入口
２３ｂ・・・・・第４の流入口
２３ｃ・・・・・第５の流出口
２４・・・・・逆止弁
２５・・・・・第１の合流点
２６・・・・・第２の合流点
２７・・・・・分岐点
２９・・・・・制御部
３０・・・・・ＢＧ測定ステップ
３１・・・・・集塵ステップ
３２ａ・・・・・第１のパージガス置換ステップ
３２ｂ・・・・・第２のパージガス置換ステップ
３３・・・・・ダスト測定ステップ
３４・・・・・演算ステップ
３５・・・・・第１の弁
３６・・・・・第２の弁
３８・・・・・第３の弁 
【図１】
2014145644.tif 000003
【図２】
2014145644.tif 000004
【図３】
2014145644.tif 000005